(57)【特許請求の範囲】
【請求項１】
携帯電話等の電子機器が内部に収容されるとともに、外部からの電波の遮蔽性を有する電子機器用試験袋であって、
導電布からなる導電性袋を複数層重ねて構成された試験袋本体を備え、
当該試験袋本体の複数層の前記導電布のうちの少なくとも一つに窓用開口部を形成し、この窓用開口部に導電性と光透過性とを有する窓部材を配置し、
前記導電布と前記窓部材との間にこれらの電気的接触を保持するための導電手段を介在させた
ことを特徴とする電子機器用試験袋。
【請求項２】
携帯電話等の電子機器が内部に収容されるとともに、外部からの電波の遮蔽性を有する電子機器用試験袋であって、
繊維を貼り付けたアルミニウム箔からなる導電性袋と、繊維布からなる繊維袋と、を重ねて構成された試験袋本体を備え、
当該試験袋本体の前記導電性袋に窓用開口部を形成し、この窓用開口部に導電性と光透過性とを有する窓部材を配置し、
前記導電性袋と前記窓部材との間にこれらの電気的接触を保持するための導電手段を介在させた
ことを特徴とする電子機器用試験袋。
【請求項３】
携帯電話等の電子機器が内部に収容されるとともに、外部からの電波の遮蔽性を有する電子機器用試験袋であって、
ステンレス繊維から形成されるステンレス繊維シートからなる導電性袋と、繊維布からなる繊維袋と、を重ねて構成された試験袋本体を備え、
当該試験袋本体の前記導電性袋に窓用開口部を形成し、この窓用開口部に導電性と光透過性とを有する窓部材を配置し、
前記導電性袋と前記窓部材との間にこれらの電気的接触を保持するための導電手段を介在させた
ことを特徴とする電子機器用試験袋。
【請求項４】
携帯電話等の電子機器が内部に収容されるとともに、外部からの電波の遮蔽性を有する電子機器用試験袋であって、
導電布からなる導電性袋を複数層重ねて構成された試験袋本体を備え、
当該試験袋本体の複数層の前記導電布のうちの一つに窓用開口部を形成し、この窓用開口部に導電性と光透過性とを有する窓部材を配置し、
前記導電布と前記窓部材との間にこれらの電気的接触を保持するための導電手段を介在させて、
一層の前記導電布と前記窓部材とを重ねてなる視認窓を形成した
ことを特徴とする電子機器用試験袋。
【請求項５】
携帯電話等の電子機器が内部に収容されるとともに、外部からの電波の遮蔽性を有する電子機器用試験袋であって、
繊維を貼り付けたアルミニウム箔からなる第一導電性袋と、導電布からなる第二導電性袋と、を重ねて構成された試験袋本体を備え、
当該試験袋本体の前記第一導電性袋に窓用開口部を形成し、この窓用開口部に導電性と光透過性とを有する窓部材を配置し、
前記第一導電性袋と前記窓部材との間、および前記第二導電性袋と前記窓部材との間にこれらの電気的接触を保持するための導電手段を介在させて、
前記第二導電性袋を構成する前記導電布と前記窓部材とを重ねてなる視認窓を形成した
ことを特徴とする電子機器用試験袋。
【請求項６】
携帯電話等の電子機器が内部に収容されるとともに、外部からの電波の遮蔽性を有する電子機器用試験袋であって、
ステンレス繊維から形成されるステンレス繊維シートからなる第一導電性袋と、導電布からなる第二導電性袋と、を重ねて構成された試験袋本体を備え、
当該試験袋本体の前記第一導電性袋に窓用開口部を形成し、この窓用開口部に導電性と光透過性とを有する窓部材を配置し、
前記第一導電性袋と前記窓部材との間、および前記第二導電性袋と前記窓部材との間にこれらの電気的接触を保持するための導電手段を介在させて、
前記第二導電性袋を構成する前記導電布と前記窓部材とを重ねてなる視認窓を形成した
ことを特徴とする電子機器用試験袋。
【請求項７】
前記窓部材は、面積が異なる一対の透明樹脂板にて導電性物質からなる遮蔽部材を挟み込むことで構成され、
前記遮蔽部材は、面積が小さい方の前記透明樹脂板よりも面積が大きく、その外周縁が面積の小さい方の前記透明樹脂板の外周縁よりも外側に位置するように配置される
ことを特徴とする請求項１乃至請求項６のいずれか１項に記載の電子機器用試験袋。
【請求項８】
前記透明樹脂板は、硬質の平板状に形成されている
ことを特徴とする請求項７に記載の電子機器用試験袋。
【請求項９】
前記窓部材は、面積が異なる一対の透明樹脂板にて導電性物質からなる遮蔽部材を挟み込むことで構成され、
前記遮蔽部材は、面積が小さい方の前記透明樹脂板よりも面積が大きく、その外周縁が面積の小さい方の前記透明樹脂板の外周縁よりも外側に位置するように配置され、
前記導電手段は、銅テープからなり、一方の面が前記遮蔽部材に接触し他方の面が前記導電布に接触する
ことを特徴とする請求項１，４，５，６のいずれか１項に記載の電子機器用試験袋。
【請求項１０】
前記銅テープの少なくとも一面には、導電性接着剤が塗布された
ことを特徴とする請求項９に記載の電子機器用試験袋。
【請求項１１】
前記遮蔽部材は、金属製のメッシュ網からなる
ことを特徴とする請求項７に記載の電子機器用試験袋。
【請求項１２】
前記メッシュ網は、ステンレスにて構成されている
ことを特徴とする請求項１１に記載の電子機器用試験袋。
【請求項１３】
前記窓部材は、軟質のフィルム状に形成された導電性薄膜からなる
ことを特徴とする請求項１乃至請求項６のいずれか１項に記載の電子機器用試験袋。
【請求項１４】
前記窓部材は、軟質のフィルム状に形成された導電性薄膜からなり、
前記導電手段は、導電性糸からなり、前記窓部材と前記窓用開口部の縁部の前記導電布とを縫合することで前記導電布と前記窓部材との電気的接触を保持する
ことを特徴とする請求項１に記載の電子機器用試験袋。
【請求項１５】
前記窓部材は、軟質のフィルム状に形成された導電性薄膜からなり、
前記導電手段は、導電性糸からなり、前記窓部材と前記窓用開口部の縁部の前記導電布とを縫合することで前記導電布と前記窓部材との電気的接触を保持する
ことを特徴とする請求項５または請求項６に記載の電子機器用試験袋。
【請求項１６】
前記試験袋本体の表面に、内部に収容される前記電子機器の操作ボタンの位置および配列を表示する表示手段を貼り付けた
ことを特徴とする請求項１乃至請求項１５のいずれか１項に記載の電子機器用試験袋。
【請求項１７】
前記表示手段は、前記電子機器の操作ボタンが図示された紙またはシリコーン樹脂にて構成されている
ことを特徴とする請求項１６に記載の電子機器用試験袋。
【請求項１８】
前記表示手段は、前記試験袋本体の表面に着脱自在に貼り付けられている
ことを特徴とする請求項１６または請求項１７に記載の電子機器用試験袋。
【発明の詳細な説明】
【技術分野】
【０００１】
本発明は、携帯電話等の電子機器に対する試験を行う電子機器用試験袋に係り、さらに詳細には、電波の遮蔽性を維持しつつ、内部の視認性を高めた電子機器用試験袋に関する。
【背景技術】
【０００２】
一般に、携帯電話等の電子機器は、製造後や修理後に正常に動作・機能するか否かについて、無線電波による無線接続試験（以下、試験という）を行う場合がある。従来、このような試験は、正確な受信能力の試験を行うために、外来電波が遮断された電波無響室（電波暗室）と称される大型の特殊な部屋や、シールドボックス（電波遮蔽箱）と称される箱や、電子機器用試験袋の内部で行われていた。
【０００３】
携帯電話等の電子機器を収容する袋は、従来種々のものが提案されていた。例えば、特許文献１には、アルミ材層からなる電磁遮蔽材層の片面に合成樹脂層を貼着してなる電磁遮蔽シートにて構成され、開口部を線ファスナーで開閉することで電磁遮蔽性を得られる電磁遮蔽袋が開示されている。また、特許文献２には、合成繊維に銅とニッケルをメッキした金属メッキ織物にて構成されるシールド布を少なくとも電子機器（携帯電話）と頭部との間に配置した収容ケースが開示されている。さらに、特許文献３には、透視性と柔軟性を備えた電磁遮蔽材で携帯電話を覆ってなる電波遮蔽箱が開示されている。
【特許文献１】特開２００１−１７１６８３号公報（段落０００８，０００９、図１）
【特許文献２】特開平１０−２０９６７１号公報（段落００３１〜００３５、段落００５８〜００６５、図１３、図１４）
【特許文献３】特許第３０９７５２４号公報（段落０００８、図１）
【発明の開示】
【発明が解決しようとする課題】
【０００４】
ところで、近年の電子機器の高性能化により、外来電波を確実に遮蔽することができる電波の遮蔽性に優れた電子機器用試験袋の必要性が高まっている。
【０００５】
しかしながら、前記の特許文献１の電磁遮蔽袋は、単に電子機器を収容するものであって、電波の遮蔽性は高いものの、内部を視認することができず、前記したような電子機器用試験袋としては使用できない。
【０００６】
また、特許文献２の収容ケースは、携帯電話から発せられる電磁波が頭部に到達するのを防止するものであって、携帯電話の操作部および表示部が位置する部分を透明樹脂フィルムで覆っているので内部の携帯電話を視認することができるが、収容ケース内にシールド布が一層設けられてはいるが、電波の遮蔽性は低く、前記したような電子機器用試験袋としては使用できない。
【０００７】
さらに、特許文献３の電波試験箱は、透視性と柔軟性を備えてはいるものの電波を遮蔽する金属布は一層しか設けられていないので、近年の電子機器の高性能化によりさらなる電波の遮蔽性が要求されている。
【０００８】
そこで、本発明は、このような問題を解決すべく、高い電波の遮蔽性を備えるとともに、内部の電子機器を良好に視認することができる電子機器用試験袋を提供することを課題とする。
【課題を解決するための手段】
【０００９】
前記課題を解決するため、請求項１に係る発明は、携帯電話等の電子機器が内部に収容されるとともに、外部からの電波の遮蔽性を有する電子機器用試験袋であって、導電布からなる導電性袋を複数層重ねて構成された試験袋本体を備え、当該試験袋本体の複数層の前記導電布のうちの少なくとも一つに窓用開口部を形成し、この窓用開口部に導電性と光透過性とを有する窓部材を配置し、前記導電布と前記窓部材との間にこれらの電気的接触を保持するための導電手段を介在させたことを特徴とする電子機器用試験袋である。
【００１０】
このような構成によれば、試験袋本体の視認窓以外の部分は、導電性袋が複数層重ねられているので、高い電波の遮蔽性を得られる。また、窓用開口部では、窓部材が、導電手段によって導電布と窓部材との電気的接触を保持しているので、高い電波の遮蔽性を得られる。さらに、窓部材は光透過性を有するので、内部の電子機器を良好に視認することができる。このように本発明によれば、電波の遮蔽性を高めるために単に金属布を複数層設けただけのものと比較して、光透過性が大幅に高くなり、内部の視認性を良好にすることができるとともに、高い電波の遮蔽性を得られる。
【００１１】
請求項２に係る発明は、携帯電話等の電子機器が内部に収容されるとともに、外部からの電波の遮蔽性を有する電子機器用試験袋であって、繊維を貼り付けたアルミニウム箔からなる導電性袋と、繊維布からなる繊維袋と、を重ねて構成された試験袋本体を備え、当該試験袋本体の前記導電性袋に窓用開口部を形成し、この窓用開口部に導電性と光透過性とを有する窓部材を配置し、前記導電性袋と前記窓部材との間にこれらの電気的接触を保持するための導電手段を介在させたことを特徴とする電子機器用試験袋である。
【００１２】
このような構成によれば、試験袋本体の視認窓以外の部分は、繊維を貼り付けたアルミニウム箔からなる導電性袋にて覆われているので、高い電波の遮蔽性を得られる。また、窓用開口部では、窓部材が、導電手段によって導電性袋と窓部材との電気的接触を保持しているので、高い電波の遮蔽性を得られる。さらに、窓部材は光透過性を有するので、内部の電子機器を良好に視認することができる。このように本発明によれば、電波の遮蔽性を高めるために単に金属布を複数層設けただけのものと比較して、光透過性が大幅に高くなり、内部の視認性を良好にすることができる。
【００１３】
請求項３に係る発明は、携帯電話等の電子機器が内部に収容されるとともに、外部からの電波の遮蔽性を有する電子機器用試験袋であって、ステンレス繊維から形成されるステンレス繊維シートからなる導電性袋と、繊維布からなる繊維袋と、を重ねて構成された試験袋本体を備え、当該試験袋本体の前記導電性袋に窓用開口部を形成し、この窓用開口部に導電性と光透過性とを有する窓部材を配置し、前記導電性袋と前記窓部材との間にこれらの電気的接触を保持するための導電手段を介在させたことを特徴とする電子機器用試験袋である。
【００１４】
このような構成によれば、試験袋本体の視認窓以外の部分は、ステンレス繊維から形成されるステンレス繊維シートからなる導電性袋にて覆われているので、高い電波の遮蔽性を得られる。また、窓用開口部では、窓部材が、導電手段によって導電性袋と窓部材との電気的接触を保持しているので、高い電波の遮蔽性を得られる。さらに、窓部材は光透過性を有するので、内部の電子機器を良好に視認することができる。このように本発明によれば、電波の遮蔽性を高めるために単に金属布を複数層設けただけのものと比較して、光透過性が大幅に高くなり、内部の視認性を良好にすることができる。
【００１５】
請求項４に係る発明は、携帯電話等の電子機器が内部に収容されるとともに、外部からの電波の遮蔽性を有する電子機器用試験袋であって、導電布からなる導電性袋を複数層重ねて構成された試験袋本体を備え、当該試験袋本体の複数層の前記導電布のうちの一つに窓用開口部を形成し、この窓用開口部に導電性と光透過性とを有する窓部材を配置し、前記導電布と前記窓部材との間にこれらの電気的接触を保持するための導電手段を介在させて、一層の前記導電布と前記窓部材とを重ねてなる視認窓を形成したことを特徴とする電子機器用試験袋である。
【００１６】
このような構成によれば、試験袋本体の視認窓以外の部分は、導電性袋が複数層重ねられているので、高い電波の遮蔽性を得られる。また、窓用開口部では、一層の導電布と窓部材を重ねて設けるとともに、導電手段によって導電布と窓部材との電気的接触を保持しているので、高い電波の遮蔽性を得られる。さらに、窓部材は光透過性を有し、視認窓は、一層の導電布と窓部材とを重ねて構成されているので、光透過性が高く、内部の電子機器を良好に視認することができる。このように本発明によれば、電波の遮蔽性を高めるために単に金属布を複数層設けただけのものと比較して、光透過性が大幅に高くなり、内部の視認性を良好にすることができる。
【００１７】
請求項５に係る発明は、携帯電話等の電子機器が内部に収容されるとともに、外部からの電波の遮蔽性を有する電子機器用試験袋であって、繊維を貼り付けたアルミニウム箔からなる第一導電性袋と、導電布からなる第二導電性袋と、を重ねて構成された試験袋本体を備え、当該試験袋本体の前記第一導電性袋に窓用開口部を形成し、この窓用開口部に導電性と光透過性とを有する窓部材を配置し、前記第一導電性袋と前記窓部材との間、および前記第二導電性袋と前記窓部材との間にこれらの電気的接触を保持するための導電手段を介在させて、前記第二導電性袋を構成する前記導電布と前記窓部材とを重ねてなる視認窓を形成したことを特徴とする電子機器用試験袋である。
【００１８】
このような構成によれば、試験袋本体の視認窓以外の部分は、第一導電性袋と第二導電性袋とが重ねられているので、高い電波の遮蔽性を得られる。また、窓用開口部では、第二導電性袋を構成する導電布と窓部材を重ねて設けるとともに、導電手段によって第一導電性袋および第二導電性袋と窓部材との電気的接触を保持しているので、高い電波の遮蔽性を得られる。さらに、窓部材は光透過性を有し、視認窓は、一層の第二導電性袋と窓部材とを重ねて構成されているので、光透過性が高く、内部の電子機器を良好に視認することができる。このように本発明によれば、電波の遮蔽性を高めるために単に金属布を複数層設けただけのものと比較して、光透過性が大幅に高くなり、内部の視認性を良好にすることができる。
【００１９】
請求項６に係る発明は、携帯電話等の電子機器が内部に収容されるとともに、外部からの電波の遮蔽性を有する電子機器用試験袋であって、ステンレス繊維から形成されるステンレス繊維シートからなる第一導電性袋と、導電布からなる第二導電性袋と、を重ねて構成された試験袋本体を備え、当該試験袋本体の前記第一導電性袋に窓用開口部を形成し、この窓用開口部に導電性と光透過性とを有する窓部材を配置し、前記第一導電性袋と前記窓部材との間、および前記第二導電性袋と前記窓部材との間にこれらの電気的接触を保持するための導電手段を介在させて、前記第二導電性袋を構成する前記導電布と前記窓部材とを重ねてなる視認窓を形成したことを特徴とする電子機器用試験袋である。
【００２０】
このような構成によれば、試験袋本体の視認窓以外の部分は、第一導電性袋と第二導電性袋とが重ねられているので、高い電波の遮蔽性を得られる。また、窓用開口部では、第二導電性袋を構成する導電布と窓部材を重ねて設けるとともに、導電手段によって第一導電性袋および第二導電性袋と窓部材との電気的接触を保持しているので、高い電波の遮蔽性を得られる。さらに、窓部材は光透過性を有し、視認窓は、一層の第二導電性袋と窓部材とを重ねて構成されているので、光透過性が高く、内部の電子機器を良好に視認することができる。このように本発明によれば、電波の遮蔽性を高めるために単に金属布を複数層設けただけのものと比較して、光透過性が大幅に高くなり、内部の視認性を良好にすることができる。
【００２１】
請求項７に係る発明は、前記窓部材は、面積が異なる一対の透明樹脂板にて導電性物質からなる遮蔽部材を挟み込むことで構成され、前記遮蔽部材は、面積が小さい方の前記透明樹脂板よりも面積が大きく、その外周縁が面積の小さい方の前記透明樹脂板の外周縁よりも外側に位置するように配置されることを特徴とする請求項１乃至請求項６のいずれか１項に記載の電子機器用試験袋である。
【００２２】
このような構成によれば、面積の小さい方の透明樹脂板が窓用開口部に挿通して突出するように窓部材を固定することで、窓部材の位置決めが容易に行われる。また、窓部材の遮蔽部材が面積の大きい方の透明樹脂板の表面に露出されるので、遮蔽部材が導電性袋に接触しやすく、導電布と遮蔽部材との電気的接触を保持しやすくなり、高い電波の遮蔽性を得ることができる。
【００２３】
請求項８に係る発明は、前記透明樹脂板が、硬質の平板状に形成されていることを特徴とする請求項７に記載の電子機器用試験袋である。
【００２４】
このような構成によれば、電子機器の表示部と窓部材とを平行に配置することができ、表示部を一様な状態で視認することができる。
【００２５】
請求項９に係る発明は、前記窓部材は、面積が異なる一対の透明樹脂板にて導電性物質からなる遮蔽部材を挟み込むことで構成され、前記遮蔽部材は、面積が小さい方の前記透明樹脂板よりも面積が大きく、その外周縁が面積の小さい方の前記透明樹脂板の外周縁よりも外側に位置するように配置され、前記導電手段は、銅テープからなり、一方の面が前記遮蔽部材に接触し他方の面が前記導電布に接触することを特徴とする請求項１，４，５，６のいずれか１項に記載の電子機器用試験袋である。
【００２６】
このような構成によれば、銅テープを介して遮蔽部材と導電布とが電気的に確実に接触するので、視認窓の電波の遮蔽性を高めることができる。
【００２７】
請求項１０に係る発明は、前記銅テープの少なくとも一面には、導電性接着剤が塗布されたことを特徴とする請求項９に記載の電子機器用試験袋である。
【００２８】
このような構成によれば、銅テープと遮蔽部材または導電布とを確実に接着することができるので、視認窓の電波の遮蔽性を高めることができる。
【００２９】
請求項１１に係る発明は、前記遮蔽部材が、金属製のメッシュ網からなることを特徴とする請求項７に記載の電子機器用試験袋である。
【００３０】
このような構成によれば、窓部材が高い導電性を備えつつ高い光透過性を得ることができる。
【００３１】
請求項１２に係る発明は、前記メッシュ網が、ステンレスにて構成されていることを特徴とする請求項１１に記載の電子機器用試験袋である。
【００３２】
このような構成によれば、窓部材が高い導電性を備えつつ、より一層高い光透過性を得ることができる。
【００３３】
請求項１３に係る発明は、前記窓部材が、軟質のフィルム状に形成された導電性薄膜からなることを特徴とする請求項１乃至請求項６のいずれか１項に記載の電子機器用試験袋である。
【００３４】
このような構成によれば、高い電波の遮蔽性を備えるとともに、内部の電子機器を良好に視認することができる上に、電子機器用試験袋の取扱いが容易になるとともに、小さく畳むことができるので収納性が向上する。
【００３５】
請求項１４に係る発明は、前記窓部材が軟質のフィルム状に形成された導電性薄膜からなり、前記導電手段が導電性糸からなり、前記窓部材と前記窓用開口部の縁部の前記導電布とを縫合することで前記導電布と前記窓部材との電気的接触を保持することを特徴とする請求項１に記載の電子機器用試験袋である。
【００３６】
このような構成によれば、導電布と導電性物質との電気的接触の保持性を高めることができる。
【００３７】
請求項１５に係る発明は、前記窓部材が軟質のフィルム状に形成された導電性薄膜からなり、前記導電手段が導電性糸からなり、前記窓部材と前記窓用開口部の縁部の前記導電布とを縫合することで前記導電布と前記窓部材との電気的接触を保持することを特徴とする請求項５または請求項６に記載の電子機器用試験袋である。
【００３８】
このような構成によれば、導電布と導電性物質との電気的接触の保持性を高めることができる。
【００３９】
請求項１６に係る発明は、前記試験袋本体の表面に、内部に収容される前記電子機器の操作ボタンの位置を表示する表示手段を貼り付けたことを特徴とする請求項１乃至請求項１５のいずれか１項に記載の電子機器用試験袋である。
【００４０】
このような構成によれば、内部が見えない部分に位置する操作ボタンの位置が分るので、操作性が大幅に向上し、試験を短い時間で行なうことができる。
【００４１】
請求項１７に係る発明は、前記表示手段が、前記電子機器の操作ボタンが図示された紙またはシリコーン樹脂にて構成されていることを特徴とする請求項１６に記載の電子機器用試験袋である。
【００４２】
このような構成によれば、表示手段を押した際に、表示手段が変形するので、操作ボタンを確実に押さえることができる。
【００４３】
請求項１８に係る発明は、前記表示手段が、前記試験袋本体の表面に着脱自在に貼り付けられていることを特徴とする請求項１６または請求項１７に記載の電子機器用試験袋である。
【００４４】
内部に収容される電子機器に応じて、表示手段を交換できるので、種々の電子機器において操作性を向上することができる。
【発明の効果】
【００４５】
本発明によれば、高い電波の遮蔽性を備えるとともに、内部の電子機器を良好に視認することができるといった優れた効果を発揮する。
【発明を実施するための最良の形態】
【００４６】
（第一実施形態）
以下、本発明の第一の実施形態について、適宜図面を参照しながら説明する。まず、本実施形態に係る電子機器用試験袋１の構成を説明する。
【００４７】
図１、図２および図５に示すように、本実施形態に係る電子機器用試験袋１は、携帯電話等の電子機器２（図２および図５参照）が内部に収容されるとともに、外部からの電波の遮蔽性を有する試験袋であって、導電布１１からなる導電性袋１２を複数層重ねて構成された試験袋本体１０を備え、この試験袋本体１０の複数層の導電布１１のうちの一つ（一部）に窓用開口部１３を形成し、この窓用開口部１３に導電性と光透過性とを有する窓部材３０を配置し、導電布１１と窓部材３０との間にこれらの電気的接触を保持するための導電手段４０を介在させて、一層の導電布１１と窓部材３０とを重ねてなる視認窓３４を形成したことを特徴とする。
【００４８】
導電布１１は、ポリエステルやアクリル等の有機繊維の表面に極めて薄い金属メッキを施して金属皮膜が形成された繊維にて構成されており、高い導電性とフレキシブル性を備えている。金属メッキは、銅、ニッケルあるいは銅とニッケルの合金を用いて形成されている。金属メッキは、例えば、無電解ニッケルメッキが採用されている。無電解ニッケルメッキは、有機繊維をメッキ液に含浸することで、メッキ液に含まれる還元剤の酸化によって放出される電子により被メッキ物（有機繊維）に金属ニッケル皮膜を析出させている。
【００４９】
導電性袋１２は、導電布１１を導電性糸（図示せず）で適宜縫合して、電子機器２を収容可能な寸法の袋状に形成されており、その一端には、電子機器２を出し入れするための挿入口１４（図１参照）が形成されている。試験袋本体１０の表面の挿入口１４近傍と、その逆側表面には、面ファスナー１７，１７（図１参照）がそれぞれ設けられており、試験袋本体１０の挿入口１４側の端部を折り畳んだ状態で、各面ファスナー１７，１７同士が互いに貼り付くようになっている（図５参照）。
【００５０】
図２に示すように、本実施形態では、導電布１１からなる導電性袋１２，１２が二層重ねられて試験袋本体１０が形成されており、窓用開口部１３以外の部分は導電布１１が二重になった状態となっている。各導電性袋１２，１２は各部が導電性糸で適宜縫合されて一体的に形成されている。
【００５１】
窓用開口部１３は、試験袋本体１０に電子機器２である携帯電話を挿入して収容した際の表示部２ａ（画面）に相当する位置に形成されている（図５参照）。本実施形態では、図２に示すように、内側の導電性袋１２を残して、外側の導電性袋１２を開口して窓用開口部１３が形成されている。この窓用開口部１３の周辺の外側の導電性袋１２と、内側の導電性袋１２との隙間には、窓部材３０の周縁部３０ａが窓用開口部１３から挿入されて、周縁部３０ａの上側面が窓用開口部１３の周辺の外側の導電性袋１２に接触して係止されるようになっている。
【００５２】
図２乃至図４に示すように、本実施形態の窓部材３０は、面積が異なる一対の透明樹脂板３２ａ，３２ｂにて導電性物質からなる遮蔽部材３１を挟み込むことで構成されている。透明樹脂板３２ａ，３２ｂは、共に平面視長方形を呈しており、面積が大きい方の透明樹脂板３２ａは、その外周縁３３ａが、面積が小さい方の透明樹脂板３２ｂの外周縁３３ｂよりも外側に位置するように配置されている。透明樹脂板３２ａ，３２ｂは、ともに硬質の平板状に形成されており、遮蔽部材３１を平面状に挟み込むようになっている。なお、窓部材３０は、米国コメリクス社（販売：太陽金網株式会社）製のエミクレアを用いるのが好ましい。
【００５３】
透明樹脂板３２ａ，３２ｂは、透明ポリカーボネート、透明アクリルあるいは透明ポリエステル等の樹脂材量にて構成されている。特に、前記材料の中では、光透過率が高く、厚さを薄くできるとともに耐熱性に優れた透明ポリカーボネートを用いるのが好ましい。なお、透明樹脂板に代えて透明フロートガラスを用いてもよい。面積が小さい方の透明樹脂板３２ｂは、その面積が窓用開口部１３の開口面積よりも僅かに小さく形成されており、窓用開口部１３から、透明樹脂板３２ｂがその厚さ分外側に突出できるようになっている。
【００５４】
遮蔽部材３１は、金属製のメッシュ網から構成されている。遮蔽部材３１は、面積が小さい方の透明樹脂板３２ｂよりも面積が大きく、その外周縁３１ａが透明樹脂板３２ｂの外周縁３３ｂよりも外側に位置するように配置されている。遮蔽部材３１は、その外周縁３１ａが、面積が大きい方の透明樹脂板３２ａの外周縁３３ａと略同等の位置になるよう構成されている。メッシュ鋼は、ステンレス製の無着色線材をメッシュ状に組み合わせて形成されている。なお、メッシュ鋼は、黒色ステンレス、無着色銅や黒色銅を用いて形成したものであってもよい。
【００５５】
導電手段４０は、銅テープからなり、窓部材３０の周縁部３０ａに貼り付けられている。具体的には、銅テープは、面積が大きい方の透明樹脂板３２ａの外周縁３３ａの全周に亘って設けられており、外周縁３３ａの端面と、上面および下面の端部からの所定長さの一部を上下から挟み込んで覆うように貼り付けられている。銅テープは、透明樹脂板３２ａの上面において、遮蔽部材３１（メッシュ網）の外周縁３１ａを、透明樹脂板３２ａと一体的に挟み込んでおり、一方の面が遮蔽部材３１に接触するようになっている。
【００５６】
銅テープは、銅箔あるいはアルミ箔にて構成されており、一方の面（遮蔽部材３１に接触する面）に、導電性接着剤４１である高導電性感圧接着剤が塗布されている。この感圧接着剤は、導電粒子が均一に分散されており、銅テープを通じて極めて低い抵抗値を示す。銅テープは、導電性接着剤４１が遮蔽部材３１および透明樹脂板３２ａ側となるように貼り付けられており、遮蔽部材３１と導電性接着剤４１を介して電気的接触を保持するようになっている。銅テープの他方の面は、内側の導電性袋１２の外表面と、外側の導電性袋１２の内表面とにそれぞれ挟まれて接触することとなり、導電性袋１２，１２との電気的接触を保持している。
【００５７】
これによって、導電布１１と遮蔽部材３１（メッシュ網）とが、導電手段４０（銅テープ）を介して、電気的接触を保持されていることとなる。そして、窓部材３０は、導電手段４０（銅テープ）を介して、内側の導電性袋１２の外表面と、外側の導電性袋１２の内表面にそれぞれ挟まれて固定されている。なお、銅テープは、米国コメリクス社（販売：太陽金網株式会社）製のコ・フォイル（登録商標）を用いるのが好ましい。
【００５８】
また、銅テープの他方の面（導電性袋１２，１２と接触する面）にも、導電性接着剤を塗布するようにしてもよい。これによれば、銅テープが内側の導電性袋１２の外側表面と、外側の導電性袋１２の内側表面にそれぞれ接着されることとなるので、窓部材３０が導電性袋１２，１２に確実に固定されるとともに、遮蔽部材３１と導電布１１との導電性を高めることができる。
【００５９】
以上のように、窓用開口部１３に窓部材３０を配置し、導電布１１と窓部材３０との間に導電手段４０を介在させることで、一層の導電布１１と窓部材３０とを重ねてなる視認窓３４が形成されることとなる。
【００６０】
図１および図５に示すように、試験袋本体１０の外側の導電性袋１２を構成する導電布１１の表面には、内部に収容される電子機器２である携帯電話の操作ボタンの位置および配置を表示する表示手段５０が貼り付けられている。表示手段５０は、試験袋本体１０に電子機器２を挿入して収容した際の操作ボタン部分２ｂに相当する位置に貼り付けられており、電子機器２の操作ボタン部分２ｂが同一のスケールで図示された紙またはシリコーン樹脂にて構成されている。表示手段５０は、両面テープあるいは面ファスナー（図示せず）を用いて導電布１１（試験袋本体１０）の表面に着脱自在に貼り付けられており、収容される電子機器２に合わせて表示手段５０を取替えられるように構成されている。
【００６１】
次に、前記構成の電子機器用試験袋１の作用を説明する。
【００６２】
以上のような構成の電子機器用試験袋１によれば、試験袋本体１０の窓用開口部１３（視認窓３４）以外の部分は、導電性袋１２が複数層（本実施形態では二層）重ねられているので、高い電波の遮蔽性を得ることができる。また、窓用開口部１３においては、一層の導電性袋１２と窓部材３０とが重ねて視認窓３４が設けられているので、導電性を有する導電布１１と遮蔽部材３１とが重なって配置されることになり、必要かつ十分な高い電波の遮蔽性を得ることができる。また、導電手段４０によって導電性袋１２の導電布１１と、窓部材３０の遮蔽部材３１との電気的接触が保持されているので、窓用開口部１３の周縁部でも導電性が確保され、試験袋本体１０の全体において導電性が途切れる部分がない。したがって、電子機器用試験袋１全体で高い電波の遮蔽性を得られるので、電子機器２の正確な試験を行うことができる。
【００６３】
特に、本実施形態では、導電手段４０が銅テープで構成されており、この銅テープは、導電性接着剤４１を介して窓部材３０の遮蔽部材３１に接着されているので、遮蔽部材３１との導電性が高い。また、銅テープは、透明樹脂板３２ａの端面から上面および下面を覆うように貼り付けられているので、遮蔽部材３１であるメッシュ鋼を、透明樹脂板３２ａに確実に固定できるとともに、導電布１１との接触面積を大きくすることができ、導電性を高められる。
【００６４】
また、窓部材３０は、面積が異なる一対の透明樹脂板３２ａ，３２ｂにて遮蔽部材３１を挟み込むことで構成され、遮蔽部材３１は、面積が小さい方の透明樹脂板３２ｂよりも面積が大きく、その外周縁が面積の小さい方の透明樹脂板３２ｂの外周縁よりも外側に位置するように配置されているので、遮蔽部材３１を確実に銅テープで挟み込むことができる。さらに、面積の小さい方の透明樹脂板３２ｂが窓用開口部１３に挿通して外側に突出するように、窓部材３０を窓用開口部１３の縁部に固定することで、窓部材３０の平面方向の位置決めが容易に行われる。
【００６５】
窓部材３０は光透過性を有し、視認窓３４における導電布１１（導電性袋１２）は一層としているので、視認窓３４は光透過性が高く、内部の電子機器２を良好に視認することができる。また、窓部材３０の遮蔽部材３１と、一層の導電布１１とで、窓用開口部１３部分に設けられる視認窓３４の高い電波の遮蔽性を得ることができる。したがって、視認窓３４では、高い電波の遮蔽性と、良好な視認性を併せ持つことができ、精度の高い電子機器２の試験を、良好な視界状態で容易に行うことができる。
【００６６】
特に、透明樹脂板３２ａ，３２ｂが、硬質の平板状に形成されているので、電子機器２の表示部２ａと窓部材３０とを平行に配置することができ、窓部材３０が湾曲することがないので、表示部２ａを平坦で一様な視界状態で視認することができる。
【００６７】
さらに、窓部材３０の遮蔽部材３１が、ステンレス製のメッシュ網から構成されているので、窓部材３０は、高い導電性を備えつつ高い光透過性を得ることができる。
【００６８】
一方、導電布１１の表面に、表示手段５０を貼り付けているので、導電布１１が二層配置され、内部が見えない部分に位置する電子機器２の操作ボタンの位置および配置が分るので、操作性が大幅に向上し、試験を短い時間で正確に行なうことができる。また、表示手段５０が、紙またはシリコーン樹脂にて構成されているので、表示手段５０を押した際に、表示手段５０が変形することによって操作ボタンを確実に押さえることができ、操作性が高い。
【００６９】
さらに、表示手段５０は、両面テープや面ファスナーによって、試験袋本体１０の導電布１１の表面に着脱自在に貼り付けられているので、内部に収容される電子機器２に応じて、表示手段５０を交換できる。したがって、種々の電子機器２に対応して操作性を向上させることができる。
【００７０】
（第二実施形態）
次に、本発明の第二の実施形態について、適宜図面を参照しながら説明する。
【００７１】
図６および図７に示すように、本実施形態に係る電子機器用試験袋３は、主に、視認窓３６、すなわち窓部材３５および試験袋本体１５の窓用開口部１６の構造が、第一の実施形態と異なっている。
【００７２】
窓部材３５は、軟質のフィルム状に形成された導電性薄膜から構成されている。かかる導電性薄膜は、ポリエステルフィルムに超極薄膜をスパッタリングして多層膜とすることにより形成されている。導電性薄膜は、例えば、高透明ポリエステルフィルムの一方面に高透明熱反射層とアクリル系樹脂による保護層とが設けられ、他方面に粘着層が設けられた構造となっている。導電性薄膜は、窓用開口部１６よりも大きい面積に形成されており、窓用開口部１６は、導電性薄膜によって全体が覆われるようになっている。なお、導電性薄膜は、帝人株式会社製のレフテル（登録商標）を用いるのが好ましい。このレフテルの電磁波シールドは、主に反射によるため高周波数（〜８０ＧＨｚ）まで性能を維持することが測定によって確認されている。
【００７３】
窓用開口部１６は、試験袋本体１５に電子機器２である携帯電話を挿入して収容した際の表示部（図示せず）に相当する位置に形成されている。本実施形態では、外側の導電性袋１２を残して内側の導電性袋１２を開口して窓用開口部１６が形成されている。この窓用開口部１６は、携帯電話の表示部（画面）よりも大きく形成されており、画面全体を視認できるように構成されている。
【００７４】
窓部材３５は、窓用開口部１６から外側の導電性袋１２と内側の導電性袋１２との間に挿入され、外側の導電性袋１２の内側に貼り付けられている。このとき、導電性薄膜は、その粘着層が外側の導電性袋１２の内側に密着するように貼り付けられる。
【００７５】
導電性袋１２に窓部材３５を固定する導電手段４５は、導電性糸から構成されており、窓部材３５と、外側の導電性袋１２、内側の導電性袋１２の窓用開口部１６の縁部の導電布１１とを縫合することで、導電布１１と窓部材３５との電気的接触を保持する。
【００７６】
以上のように、窓用開口部１６に窓部材３５を配置し、導電布１１と窓部材３０との間に導電手段４０を介在させる（導電性糸で窓部材３５と窓用開口部１６の縁部の導電布１１とを縫合する）ことで、一層の導電布１１と窓部材３５とを重ねてなる視認窓３６が形成されることとなる。
【００７７】
なお、その他の構成については、第一の実施形態と同様であるので同じ符号を付して説明を省略する。
【００７８】
以上のような構成の電子機器用試験袋３によれば、第一の実施形態と同様の作用効果の上に、窓部材３５が軟質のフィルム状に形成されているので、視認窓３６が試験袋本体１５に追従可能な柔軟性を有しており、電子機器用試験袋３の取扱いが容易になるとともに、小さく畳むことができるので収納性が向上する。
【００７９】
また、導電手段４５が、導電性糸から構成されているので、窓部材３５に追従可能な柔軟性を有しており、窓部材３５の変形に追従して、窓部材３５と導電布１１とを固定することができる。
【００８０】
以上、本発明の実施形態について説明したが、本発明の実施形態はこれに限定されるものではない。具体的な構成については、本発明の趣旨を逸脱しない範囲で適宜変更が可能であり、例えば、以下のような変更が可能である。
【００８１】
前記した第一および第二の実施形態では、導電性袋１２を二層設けて試験袋本体１０（１５）を形成しているが、二層に限られるものではなく、視認窓３４（３６）が形成される部分の導電布１１（導電性袋１２）を一層とすれば、他の部分は三層以上であってもよい。このようにすれば、視認窓３４（３６）以外の部分の電波の遮蔽性をさらに高めることができる。
【００８２】
また、前記した実施形態では、電子機器２の操作ボタン部分２ｂに相当する部分の導電布１１に表示手段５０を貼り付けて操作性を高めるようにしているが、これに限られるものではなく、例えば、操作ボタン部分２ｂに相当する部分に開口部を形成して、第二の実施形態のような柔軟性を有する窓部材３５を設けるようにしてもよい。このようにすれば、操作ボタン部分２ｂを視認しながら操作することができ、表示手段５０と同様に操作性を高めることができる。
【００８３】
前記した第二の実施形態では、窓用開口部１６が、内側の導電性袋１２に形成され、窓部材３５は、外側の導電性袋１２の内側に貼り付けられているが、これに限られるものではない。窓部材を、外側の導電性袋１２の外側に貼り付けてもよい。また、窓用開口部を、外側の導電性袋１２に形成し、窓部材３５を、内側の導電性袋１２の外側に貼り付けるようにしてもよい。
【００８４】
（第三実施形態）
次に、本発明の第三の実施形態について、適宜図面を参照しながら説明する。
【００８５】
第三の実施形態に係る電子機器用試験袋４は、第一の実施形態の電子機器用試験袋１の変形例である。第一の実施形態の電子機器用試験袋１では、内外に二層重ねられた導電性袋１２，１２のうち、外側の導電性袋１２のみに窓用開口部１３が形成されているのに対して、第三の実施形態の電子機器用試験袋４では、図８に示すように、内外の導電性袋１２，１２の両方に窓用開口部１３，１３’がそれぞれ形成されている点で異なる。
【００８６】
電子機器用試験袋４の内側の導電性袋１２に形成された窓用開口部１３’は、外側の導電性袋１２に形成された窓用開口部１３と同等の形状を呈している。すなわち、窓用開口部１３’は、試験袋本体１０に電子機器２である携帯電話を挿入して収容した際の表示部２ａ（図５参照）に相当する位置に形成されている。本実施形態では、外側の導電性袋１２の窓用開口部１３の周辺部分と、内側の導電性袋１２の窓用開口部１３’の周辺部分との隙間に、窓部材３０の周縁部３０ａが窓用開口部１３から挿入される。これによって、窓部材３０の周縁部３０ａの上側面が外側の導電性袋１２の窓用開口部１３の周辺部分に対向するとともに、窓部材３０の周縁部３０ａの下側面が内側の導電性袋１２の窓用開口部１３’の周辺部分に対向するようになっている。
【００８７】
なお、その他の構成については、第一の実施形態と同様であるので、同じ符号を付して説明を省略する。
【００８８】
このような構成によれば、第一の実施形態と同様の作用効果の他に、視認窓３４における内部の視認性をさらに良好にすることができる。なお、窓部材３０の遮蔽部材３１を構成する金属製のメッシュ網を細いものにして、配置ピッチを小さくすれば、電波の遮蔽性を高めることができる。
【００８９】
（第四実施形態）
次に、本発明の第四の実施形態について、適宜図面を参照しながら説明する。
【００９０】
第四の実施形態に係る電子機器用試験袋５は、第一の実施形態の電子機器用試験袋１の変形例である。第一の実施形態の電子機器用試験袋１では、内外に二層重ねられた袋体が、両方とも導電性袋１１で構成された導電性袋１２，１２であるのに対して、第四の実施形態の電子機器用試験袋５では、図９に示すように、外側の袋体は、繊維２０ａを貼り付けたアルミニウム箔２０ｂからなる導電性袋２０であって、内側の袋体は、繊維布２１からなる繊維袋２２である点で異なる。
【００９１】
外側に位置する導電性袋２０は、アルミニウム箔２０ｂの一面に繊維２０ａを貼り付けてなる布状部材で形成されている。繊維２０ａは、接着剤によってアルミニウム箔２０ｂに貼り付けられている。また、導電性袋２０は、内側がアルミニウム箔２０ｂとなり、外側が繊維２０ａとなるように形成されている。なお、アルミニウム箔２０ｂの一面に繊維２０ａを貼り付けてなる布状部材としては、光洋産業株式会社製のＳＳシート（不燃）を用いてもよい。その他の構成については、第一の実施形態と同様であるので、同じ符号を付して説明を省略する。
【００９２】
このような構成によれば、窓部材３０の遮蔽部材３１とアルミニウム箔２０ｂとが導電手段４０を介して電気的に接続されているので、導電手段４０によって、導電性袋２０と窓部材３０との電気的接触が保持されている。したがって、窓用開口部１３の周縁部でも導電性が確保され、試験袋本体１０の全体において導電性が途切れる部分がない。したがって、本実施形態においても、第一の実施形態と同様の作用効果を得ることができる。また、導電性袋２０が、アルミニウム箔２０ｂを備えて構成されているので、電波の遮蔽性がさらに高められている。
【００９３】
なお、本実施形態では、外側の導電性袋２０のみに窓用開口部１３が形成されているが、これに限定されるものではなく、内側の繊維袋２２にも窓用開口部（図示せず）を形成するようにしてもよい。
【００９４】
また、本実施形態では、外側の袋体である導電性袋２０は、繊維２０ａを貼り付けたアルミニウム箔２０ｂから構成されているが、これに代えて、ステンレス繊維から形成されるステンレス繊維シート（図示せず）にて構成するようにしてもよい。ステンレス繊維シートは、ステンレス繊維を湿式抄紙法によりシート化して、焼結することで形成されており、例えば、株式会社巴川製紙所製のステンレス鋼繊維シート（特開平１１−２２０２８２号公報参照）を用いるのが好ましい。これによって１００％ステンレス繊維で形成され、軽量であって柔軟性、耐熱性、耐食性および導電性を備えたステンレス繊維シートが形成される。このような構成によっても、第四の実施形態と同様の作用効果を得ることができる。なお、ステンレス繊維シートの製造方法は、一例であって、ステンレス繊維の寸法や密度は適宜変更可能であって、ステンレス繊維の表面に異種の金属を被覆することも可能である。
【００９５】
さらに、本実施形態では、外側の袋体を導電性袋２０とし、内側の袋体を繊維袋２２としているが、これに限定されるものではなく、両方の袋体を繊維を貼り付けたアルミニウム箔からなる導電性袋としてもよいし、ステンレス繊維から形成されるステンレス繊維シートからなる導電性袋としてもよいし、繊維を貼り付けたアルミニウム箔からなる導電性袋と、ステンレス繊維から形成されるステンレス繊維シートからなる導電性袋とを適宜組み合わせて用いてもよい。
【００９６】
（第五実施形態）
次に、本発明の第五の実施形態について、適宜図面を参照しながら説明する。
【００９７】
第五の実施形態に係る電子機器用試験袋６は、第一の実施形態の電子機器用試験袋１の変形例である。第一の実施形態の電子機器用試験袋１では、内外に二層重ねられた袋体が、両方とも、導電性袋１１で構成された導電性袋１２，１２であるのに対して、第五の実施形態の電子機器用試験袋６では、図１０に示すように、外側の袋体は、繊維２０ａを貼り付けたアルミニウム箔２０ｂからなる第一導電性袋２３であって、内側の袋体は、導電布１１からなる第二導電性袋２４である点で異なる。
【００９８】
外側に位置する第一導電性袋２３は、第四の実施形態の導電性袋２０と同様に、アルミニウム箔２０ｂの一面に繊維２０ａを貼り付けてなる布状部材で形成されている。また、導電性袋２０は、内側がアルミニウム箔２０ｂとなり、外側が繊維２０ａとなるように形成されている。なお、その他の構成については、第一の実施形態と同様であるので、同じ符号を付して説明を省略する。
【００９９】
このような構成によれば、窓部材３０の遮蔽部材３１とアルミニウム箔２０ｂとが導電手段４０を介して電気的に接続されているので、導電手段４０によって、第一導電性袋２３と窓部材３０との電気的接触が保持されている。そのため、窓用開口部１３の周縁部でも導電性が確保され、試験袋本体１０の全体において導電性が途切れる部分がない。したがって、本実施形態においても、第一の実施形態と同様の作用効果を得ることができる。また、第一導電性袋２３が、アルミニウム箔２０ｂを備えて構成されているので、電波の遮蔽性がさらに高められている。
【０１００】
なお、本実施形態では、外側の第一導電性袋２３のみに窓用開口部１３が形成されているが、これに限定されるものではなく、内側の第二導電性袋２４にも窓用開口部（図示せず）を形成するようにしてもよい。
【０１０１】
また、本実施形態では、外側の第一導電性袋２３は、繊維２０ａを貼り付けたアルミニウム箔２０ｂから構成されているが、これに代えて、ステンレス繊維から形成されるステンレス繊維シート（第四の実施形態参照）にて構成するようにしてもよい。このような構成によっても、第五の実施形態と同様の作用効果を得ることができる。
【０１０２】
さらに、本実施形態では、外側の第一導電性袋２３は、繊維２０ａを貼り付けたアルミニウム箔２０ｂから構成され、第二導電性袋２４は、導電布１１から構成されているが、これに限定されるものではなく、第一導電性袋２３および第二導電性袋２４の両方を繊維を貼り付けたアルミニウム箔から構成してもよいし、ステンレス繊維から形成されるステンレス繊維シートから構成してもよいし、繊維を貼り付けたアルミニウム箔と、ステンレス繊維から形成されるステンレス繊維シートと、導電布とを適宜組み合わせて用いてもよい。
【０１０３】
（第六実施形態）
次に、本発明の第六の実施形態について、適宜図面を参照しながら説明する。
【０１０４】
第六の実施形態に係る電子機器用試験袋７は、第二の実施形態の電子機器用試験袋３の変形例である。第二の実施形態の電子機器用試験袋３では、内外に二層重ねられた導電性袋１２，１２のうち、内側の導電性袋１２のみに窓用開口部１６が形成されているのに対して、第六の実施形態の電子機器用試験袋７では、図１１に示すように、内外の導電性袋１２，１２の両方に窓用開口部１６，１６’がそれぞれ形成されている点で異なる。
【０１０５】
電子機器用試験袋７の外側の導電性袋１２に形成された窓用開口部１６’は、内側の導電性袋１２に形成された窓用開口部１６と同等の形状を呈している。すなわち、窓用開口部１６’は、試験袋本体１０に電子機器２である携帯電話を挿入して収容した際の表示部（図示せず）に相当する位置に形成されている。なお、その他の構成については、第二の実施形態と同様であるので、同じ符号を付して説明を省略する。
【０１０６】
このような構成によれば、第二の実施形態と同様の作用効果の他に、視認窓３６における内部の視認性をさらに良好にすることができる。
【０１０７】
なお、本実施形態では、内外に二層重ねられた袋体が、両方とも導電性袋１１で構成された導電性袋１２，１２であるが、これに限定されるものではなく、外側の袋体を繊維を貼り付けたアルミニウム箔からなる導電性袋で構成し、内側の袋体を繊維布からなる繊維袋で構成するようにしてもよい。また、外側の袋体を繊維を貼り付けたアルミニウム箔からなる第一導電性袋で構成し、内側の袋体を導電布からなる第二導電性袋で構成するようにしてもよい。
【図面の簡単な説明】
【０１０８】
【図１】本発明に係る電子機器用試験袋の第一の実施形態を示した斜視図である。
【図２】本発明に係る電子機器用試験袋の第一の実施形態の窓用開口部および窓部材を示した断面図である。
【図３】本発明に係る電子機器用試験袋の第一の実施形態の窓部材を示した一部断面斜視図である。
【図４】本発明に係る電子機器用試験袋の第一の実施形態の窓部材を示した平面図である。
【図５】本発明に係る電子機器用試験袋の内部に携帯電話を収容した状態を示した斜視図である。
【図６】本発明に係る電子機器用試験袋の第二の実施形態を示した斜視図である。
【図７】本発明に係る電子機器用試験袋の第二の実施形態の窓用開口部および窓部材を示した断面図である。
【図８】本発明に係る電子機器用試験袋の第三の実施形態の窓用開口部および窓部材を示した断面図である。
【図９】本発明に係る電子機器用試験袋の第四の実施形態の窓用開口部および窓部材を示した断面図である。
【図１０】本発明に係る電子機器用試験袋の第五の実施形態の窓用開口部および窓部材を示した断面図である。
【図１１】本発明に係る電子機器用試験袋の第六の実施形態の窓用開口部および窓部材を示した断面図である。
【符号の説明】
【０１０９】
１      電子機器用試験袋
２      電子機器（携帯電話）
１０    試験袋本体
１１    導電布
１２    導電性袋
１３    窓用開口部
３０    窓部材
３１    遮蔽部材（メッシュ網）
３２ａ  透明樹脂板
３２ｂ  透明樹脂板
３４    視認窓
４０    導電手段（銅テープ）
４１    導電性接着剤
３      電子機器用試験袋
１５    試験袋本体
１６    窓用開口部
３５    窓部材
３６    視認窓
４５    導電手段（導電性糸）
４      電子機器用試験袋
１３’  窓用開口部
５      電子機器用試験袋
２０    導電性袋
２０ａ  繊維
２１ｂ  アルミニウム箔
２１    繊維布
２２    繊維袋
６      電子機器用試験袋
２３    第一導電性袋
２４    第二導電性袋
７      電子機器用試験袋
１６’  窓用開口部
【図１】
0005332435.tif 000002
【図２】
0005332435.tif 000003
【図３】
0005332435.tif 000004
【図４】
0005332435.tif 000005
【図５】
0005332435.tif 000006
【図６】
0005332435.tif 000007
【図７】
0005332435.tif 000008
【図８】
0005332435.tif 000009
【図９】
0005332435.tif 000010
【図１０】
0005332435.tif 000011
【図１１】
0005332435.tif 000012